(57)【要約】【課題】流通過程で折損することがなく、使用するときに一枚ずつ板状検査紙を振り出すことができ、吸湿や手に触れることが少なく、使用済の板状検査紙が混入する危惧がない板状検出紙振出し容器を提供する。【解決手段】容器本体に蓋材が装着し、容器本体１００の開口部に天板蓋２００が嵌着する円筒状容器であり、容器本体の内側前方片側に、左右両側の壁板の前方先端を接続し後方へ左右両側の壁板が直角に開く隔壁１３０を、隔壁の前方接続先端外面と左右後方端面を容器本体の周壁内周面に接続し、隔壁の下端面を容器本体の底板に接続して設け、隔壁の後方内側を板状検査紙収納室１４０とし、隔壁の内周面上方延長線上の天板蓋の対向位置に、隔壁の前方接続先端の対向位置を中心とし左右への長さが板状検査紙の幅より大きく、後方内側への幅が板状検査紙の厚さより大きい直角に曲がる振出し孔２１０を設ける。【選択図】図１
2006188255.tif 000002
【特許請求の範囲】
【請求項１】
容器本体に蓋材が装着し、容器本体の上端開口部に天板蓋が嵌着するプラスチック製の円筒状容器であって、容器本体の内側の前方片側に、左右両側の壁板の前方先端を接続し後方へ左右両側の壁板が直角に開く隔壁を、隔壁の前方接続先端外面と左右後方端面を容器本体の周壁内周面にそれぞれ接続し、隔壁の下端面を容器本体の底板に接続して設け、この隔壁の後方内側を板状検査紙収納室とし、かつ、隔壁の内周面上方延長線上の天板蓋の対向位置に、隔壁の前方接続先端の対向位置を中心とし左右への長さが板状検査紙の幅より大きく、後方側への幅が板状検査紙の厚さより大きい直角に曲がる振出し孔を設けたことを特徴とする板状検査紙振出し容器。
【請求項２】
隔壁に通気孔を設けて、隔壁と周壁間を乾燥剤収容室にしたことを特徴とする請求項１記載の板状検査紙振出し容器。
【請求項３】
天板蓋の直角に曲がる振出し孔の後方側の左右両角に、それぞれＲ形状の逃げ溝孔を設けたことを特徴とする請求項１又は２記載の板状検査紙振出し容器。
【請求項４】
天板蓋の直角に曲がる振出し孔の後方側の内周面に、上端から下端へＲ形状で下方へ開く斜面を設けたことを特徴とする請求項１乃至３記載の板状検査紙振出し容器。
【発明の詳細な説明】
【技術分野】
【０００１】
本発明は、医療関係の測定、検査、治療などに使用する板状検査紙を収納し、使用するときに、一枚ずつ振り出せる板状検査紙振出し容器に関するものである。
【背景技術】
【０００２】
従来、医療用の板状検査紙を収納する包装容器としては、外気や雑菌などの侵入を防ぐ、気密性が良好な包装容器が使用されていた。例えば、フィルム包装材料を用いて密封製袋した柔軟なフィルムケースのものが使用されており、また、図６に示すように、熱可塑性樹脂を射出成形した周壁（４１０）と底板（４３０）とからなる硬質なケース本体の開口部（４３０）に、取手板（５１０）の下面に柔軟な栓部（５２０）をもつ蓋材（５００）を、栓部を挿嵌させて密封した硬質な筒状ケースなどが使用されていた。
【発明の開示】
【発明が解決しようとする課題】
【０００３】
しかしながら、上述した従来の密封製袋した柔軟なフィルムケースの場合には、ケース本体は簡単であるものの、ケースが柔軟であるために外部からの衝撃で板状検査紙に折損が生じたり、また、板状検査紙が一枚ずつケース内に包装されているために、取り出すときにケースを一つ一つ開封する手間が掛かり、使い勝手が悪かった。
【０００４】
また、後述の硬質な筒状ケースの場合には、ケース本体が硬質であるため、外部からの衝撃による板状検査紙の折損は生じないが、ケース本体から板状検査紙を取り出すときに、開口部が大きいため、外気の湿度の影響を受け易く、吸湿した板状検査紙は誤診の可能性があった。また、開口部から板状検査紙を手で取り出すときに、誤って板状検査紙をばら蒔いてしまうことがあり、また、開口部を下方へ向けて板状検査紙を振り出すときに、開口部が大きいために一枚ずつ取り出すことが難しく、板状検査紙が多く出過ぎたり、多く出た板状検査紙を容器内へ戻す手間が掛かったり、手に触れた板状検査紙は誤診の可能性があった。また、蓋材をケース本体の開口部に着脱を繰り返して使用するため、使用している間に蓋材の栓部とケース本体の開口部と密着性が低下して、ケース内の気密性が徐々に損なわれることがあった。
【０００５】
本発明は、上述の従来の板状検査紙を収納する包装容器における問題点を解決したものであり、流通過程で折損することがなく、使用するときに一枚ずつ板状検査紙を振り出すことができ、吸湿や手に触れることが少なく、使用済の板状検査紙が混入する危惧がない板状検出紙振出し容器を提供するものである。
【課題を解決するための手段】
【０００６】
すなわち、本発明の第１の発明は、容器本体に蓋材が装着し、容器本体の上端開口部に天板蓋が嵌着するプラスチック製の円筒状容器であって、容器本体の内側の前方片側に、左右両側の壁板の前方先端を接続し後方へ左右両側の壁板が直角に開く隔壁を、隔壁の前方接続先端外面と左右後方端面を容器本体の周壁内周面にそれぞれ接続し、隔壁の下端面を容器本体の底板に接続して設け、この隔壁の後方内側を板状検査紙収納室とし、かつ、隔壁の内周面上方延長線上の天板蓋の対向位置に、隔壁の前方接続先端の対向位置を中心とし左右への長さが板状検査紙の幅より大きく、後方側への幅が板状検査紙の厚さより大きい直角に曲がる振出し孔を設けたことを特徴とする板状検査紙振出し容器である。
【０００７】
次に、本発明の第２の発明は、隔壁に通気孔を設けて、隔壁と周壁間を乾燥剤収容室にしたことを特徴とする第１の発明に記載の板状検査紙振出し容器である。
【０００８】
次に、本発明の第３の発明は、天板蓋の直角に曲がる振出し孔の後方側の左右両角に、それぞれＲ形状の逃げ溝孔を設けたことを特徴とする第１又は第２の発明に記載の板状検査紙振出し容器である。
【０００９】
そして、本発明の第４の発明は、天板蓋の直角に曲がる振出し孔の後方側の内周面に、上端から下端へＲ形状で下方へ開く斜面を設けたことを特徴とする第１乃至第３の発明に記載の板状検査紙振出し容器である。
【発明の効果】
【００１０】
本発明の板状検査紙振出し容器は、従来の密封製袋した柔軟なフィルムケースとは異なり、板状検査紙がプラスチック製の剛性をもつ円筒状容器に収納されているため、流通過程における外部からの衝撃によって板状検査紙が折損することがない。
【００１１】
また、本発明の板状検査紙振出し容器は、容器本体の天板蓋に直角に曲がる振出し孔が設けられており、使用するときに、容器本体を倒立状態に傾斜させて振ると、この直角に曲がる振出し孔の左右のどちらか一方側の孔から、板状検査紙が一枚ずつ振り出されて来る。
【００１２】
また、本発明の板状検査紙振出し容器は、従来の硬質な筒状ケースの場合とは異なり、容器本体を倒立状態に傾斜させて板状検査紙を振り出すときに、容器本体の開口部は、天板蓋の直角に曲がる振出し孔のみであり比較的に小さい。このため、容器本体内に収納する板状検査紙は、使用中に外気の湿度の影響を受けることが少ない。また、板状検査紙を振り出すときに、手が板状検査紙に触れることもない。
【００１３】
また、本発明の板状検査紙振出し容器は、天板蓋の直角に曲がる振出し孔の後方側の左右両角に、それぞれＲ形状の逃げ溝孔を設けると、板状検査紙の角が尖っていても、尖っている部分が逃げ溝孔に入るために引っ掛かることなく、振出し孔から振り出されて来る。また、天板蓋の直角に曲がる振出し孔の後方側の内周面に、上端から下端へＲ形状で下方へ開く斜面を設けると、板状検査紙の角が毛羽立っていても、Ｒ形状の斜面により引っ掛かることなく、振出し孔から振り出されて来る。
【００１４】
そして、本発明の板状検査紙振出し容器は、容器本体の開口部は、天板蓋の直角に曲がる振出し孔のみであり、外側にあった板状検査紙を容器本体に挿入することは難しい。このため、使用済の板状検査紙が混入する危惧が極めて少ない。
【発明を実施するための最良の形態】
【００１５】
次に、本実施形態の板状検査紙振出し容器について、図を用いて詳細に説明する。
【００１６】
本実施形態の板状検査紙振出し容器は、図３に示すように、容器本体（１００）に蓋材（３００）が螺着する円筒状容器である。蓋材の周壁外周面には、開閉し易いように縦のローレット目（３２１）が形成されている。そして、容器本体（１００）の上端開口部には、図１（ａ）及び（ｂ）に示すように、振出し孔（２１０）が設けられた天板蓋（２００）が嵌着されている。  容器本体、天板蓋及び蓋材は、使用目的に合ったポリエチレン、ポリプロピレンなどの熱可塑性樹脂を用いて、射出成形法により作製されるものである。
【００１７】
本実施形態の板状検査紙振出し容器の容器本体の構造は、図１（ｂ）又は図２（ｂ）に示すように、内側の前方片側に、左右両側の壁板（１３０）の前方先端を接続し後方へ左右両側の壁板が直角に開く隔壁（１３０）を、隔壁の前方接続先端外面と左右後方端面を
容器本体の周壁（１１０）内周面にそれぞれ接続し、隔壁の下端面を容器本体の底板（１２０）に接続して設け、この隔壁の後方内側を板状検査紙収納室（１４０）とし、また、隔壁に複数個の通気孔（１３２）を設けて、隔壁（１３０）と周壁（１１０）間を乾燥剤収容室（１５０）にしたものである。なお、周壁（１１０）の上方外周面に、図３に示すように、蓋材（３００）を螺着するための雄ネジ（１１１）を設けるものである。また、周壁（１１０）の上端部内周面に、図１（ｂ）に示すように、天板蓋（２００）を嵌着するための嵌合凹リング（１１２）を設けるものである。
【００１８】
天板蓋の構造は、図１（ａ）及び（ｂ）に示すように、容器本体（１００）の隔壁（１３０）の内周面上方延長線上の対向位置に、隔壁の前方接続先端の対向位置を中心とし左右への長さが板状検査紙の幅より大きく、後方側への幅が板状検査紙の厚さより大きい直角に曲がる振出し孔（２１０）を設けるものである。なお、外周側面に、図１（ｂ）又は図２（ａ）に示すように、容器本体（１００）の嵌合凹リング（１１２）に嵌着する嵌着リングを設けるものである。
【００１９】
なお、天板蓋に設ける直角に曲がる振出し孔（２１０）は、必要に応じて、図５（ａ）に示すように、後方側の左右両角にＲ形状の逃げ溝孔（２１１）を設けても、また、図５（ｂ）に示すように、後方側の内周面に上端から下端へＲ形状で下方へ開く斜面（２１２）を設けてもよい。
【００２０】
そして、蓋材を螺脱して外し、容器本体を倒立状態に傾斜させて振り、容器本体内に収納されている板状検査紙を、天板蓋の直角に曲がる振出し孔から振り出すときの状態には、次の様な場合がある。まず、図４（ａ）に示すように、板状検査紙（１０）が隔壁により振出し孔（２１０）の左側に沿って集積された場合には、振出し孔の左側から板状検査紙が一枚ずつ順次振り出されてくる。次に、図４（ｂ）に示すように、板状検査紙（１０）が隔壁により振出し孔（２１０）の右側に沿って集積された場合には、振出し孔の右側から板状検査紙が一枚ずつ順次振り出されてくる。そして、図４（ｃ）に示すように、板状検査紙（１０）が隔壁により振出し孔（２１０）の左側に一枚、その板状検査紙に乗った状態で振出し孔の左側に一枚、つまり、交差した状態で集積された場合には、振出し孔の左側からは板状検査紙が振り出されるが、右側からは、板状検査紙の上端部が振出し孔に引っ掛かっているため板状検査紙は振り出されない。
【図面の簡単な説明】
【００２１】
【図１】（ａ）は、本実施形態の板状検出紙振出し容器の平面図であり、（ｂ）は、Ａ−Ａ’線断面図である。
【図２】（ａ）は、本実施形態の板状検出紙振出し容器の天板蓋の平面図であり、（ｂ）は、容器本体の平面図である。
【図３】本実施形態の板状検出紙振出し容器の正面図である。
【図４】本実施形態の板状検出紙振出し容器において、板状検出紙が振り出されるときの直角にまがる振出し孔の振出し側を示す説明図であり、（ａ）は、板状検出紙が振出し孔の左側に沿って集積されたときであり、（ｂ）は、板状検出紙が振出し孔の右側に沿って集積されたときであり、（ｃ）は、板状検出紙が振出し孔の左側と右側に交差して集積されたときである。
【図５】（ａ）は、天板蓋の直角に曲がる振出し孔の後方側の左右両角にＲ形状の逃げ溝孔を設けた状態を示す説明図であり、（ｂ）は、天板蓋の直角に曲がる振出し孔の後方側の内周面にＲ形状の斜面を設けた状態を示す説明図である。
【図６】（ａ）は、従来の一例の板状検出紙振出し容器の蓋材の正面図であり、（ｂ）は、容器本体の断面図である。
【符号の説明】
【００２２】
１０……板状検査紙
１００，４００……容器本体
１１０，４１０……周壁
１１１……雄ネジ
１１２……嵌合凹リング
１２０，４２０……底板
１３０……隔壁
１３１……壁板
１３２……通気孔
１４０……板状検査紙収納室
１５０……乾燥剤収容室
２００……天板蓋
２０１……嵌着リング
２１０……振出し孔
２１１……逃げ溝孔
２１２……斜面
３００，５００……蓋材
３０１……ローレット目
４３０……開口部
５１０……取手板
５２０……栓部
【図１】
2006188255.tif 000003
【図２】
2006188255.tif 000004
【図３】
2006188255.tif 000005
【図４】
2006188255.tif 000006
【図５】
2006188255.tif 000007
【図６】
2006188255.tif 000008